(57)【要約】      （修正有）【課題】室外機の周囲に遮蔽物が存在する場合であっても、外気温センサが外気温を正確に検知することができる空気調和機の室外機を提供する。【解決手段】空気調和機の室外機１０は、室外機本体と、室外機本体の外側に設けられる外気温センサと、下部に開口を有し、外気温センサを覆うカバー２０と、を備える。さらに、カバー２０は、側面が遮蔽されている、または、側面の一部が開放されている、または、上面の一部が開放されている、または、上面が傾斜している。【選択図】図８
2018185100.tif 000002
【特許請求の範囲】
【請求項１】
室外機本体と、
前記室外機本体の外側に設けられる外気温センサと、
下部に開口を有し、前記外気温センサを覆うカバーと、
を備える空気調和機の室外機。
【請求項２】
前記カバーは、側面が遮蔽されている請求項１に記載の空気調和機の室外機。
【請求項３】
前記カバーは、側面の一部が開放されている請求項１または２に記載の空気調和機の室外機。
【請求項４】
前記カバーは、上面が遮蔽されている請求項１から３の何れか１項に記載の空気調和機の室外機。
【請求項５】
前記カバーは、上面の一部が開放されている請求項１から４の何れか１項に記載の空気調和機。
【請求項６】
前記カバーは、上面が傾斜している請求項１から５の何れか１項に記載の空気調和機の室外機。
【請求項７】
前記カバーは、前記外気温センサに空気を誘導する誘導部を備える請求項１から６の何れか１項に記載の空気調和機の室外機。
【請求項８】
前記カバーを覆うフードを備える請求項１から７の何れか１項に記載の空気調和機の室外機。
【発明の詳細な説明】
【技術分野】
【０００１】
本発明の実施形態は、空気調和機の室外機に関する。
【背景技術】
【０００２】
空気調和機の室外機は、室外機本体の外側に設けられた外気温センサにより外気温を検出し、その検出される外気温に応じて送風機や圧縮機などの駆動を制御する（例えば、特許文献１参照）。
【先行技術文献】
【特許文献】
【０００３】
【特許文献１】特開２００６−２００８７４号公報
【発明の概要】
【発明が解決しようとする課題】
【０００４】
しかしながら、室外機の周囲に遮蔽物が存在する場合、例えば、室外機の背面に壁が存在する場合、室外機に防雪フードが取り付けられた場合などにおいては、外気温センサの周囲に高温の空気が停滞しやすくなり、外気温センサが外気温を正確に検知することができなくなるおそれがある。
【０００５】
そこで、室外機の周囲に遮蔽物が存在する場合であっても、外気温センサが外気温を正確に検知することができる空気調和機の室外機を提供する。
【課題を解決するための手段】
【０００６】
本実施形態に係る空気調和機の室外機は、室外機本体、外気温センサ、カバーを備える。外気温センサは、前記室外機本体の外側に設けられる。カバーは、下部に開口を有し、前記外気温センサを覆う。
【図面の簡単な説明】
【０００７】
【図１】本実施形態に係る空気調和機の室外機の構成例を概略的に示す外観斜視図
【図２】空気調和機の室外機の内部の構成例を概略的に示す斜視図
【図３】室外機の構成例を概略的に示す側面図
【図４】室外機本体の背面に設けられるカバーおよびその周辺を拡大して示す斜視図
【図５】カバーの構成例を概略的に示す背面図
【図６】図５のＦ６−Ｆ６線に沿うカバーおよびその内部の構成例を概略的に示す縦断側面図
【図７】カバーの構成例を概略的に示す側面図
【図８】室外機本体の背面に遮蔽物が存在する状態の一例を示す図
【図９】室外機本体の背面にフードが取り付けられた状態の一例を示す図
【発明を実施するための形態】
【０００８】
以下、空気調和機の室外機に係る複数の実施形態について図面を参照しながら説明する。なお、各実施形態において実質的に同一の要素には同一の符号を付し、その説明を省略する。
【０００９】
（第１実施形態）
図１に例示する空気調和機の室外機１０は、その外郭を構成する室外機本体１１の前面に複数、この場合、２つの空気吹出口１２を備えている。図２に例示するように、室外機本体１１の内部には、送風機１３、熱交換器１４、圧縮機１５、アキュームレータ１６、電気部品箱１７などが備えられている。室外機本体１１の内部は、熱交換室１１Ａと機械室１１Ｂとに仕切られている。そして、送風機１３、熱交換器１４は、熱交換室１１Ａ内に設けられている。一方、圧縮機１５、アキュームレータ１６、電気部品箱１７は、機械室１１Ｂ内に設けられている。
【００１０】
図２に例示するように、送風機１３は、室外機本体１１前面の空気吹出口１２に対応して複数、この場合、２つ設けられている。これら送風機１３が駆動することにより、室外機本体１１の外部の空気が室外機本体１１の内部に吸い込まれ、熱交換器１４と熱交換する。そして、熱交換器１４と熱交換した空気は、送風機１３による送風作用により空気吹出口１２から室外機本体１１の外部に吹き出される。熱交換器１４、圧縮機１５、アキュームレータ１６は、周知の冷凍サイクル１８を構成している。電気部品箱１７は、室外機の動作全般を制御する図示しない制御装置などを格納している。
【００１１】
図３に例示するように、室外機本体１１の外側、この場合、背面の外側には、カバー２０が着脱可能に取り付けられている。そして、このカバー２０の内部には、外気温センサ３０が収容されている。本実施形態では、カバー２０およびこのカバー２０により覆われる外気温センサ３０は、室外機本体１１の背面における上部に設けられている。なお、カバー２０および外気温センサ３０の取り付け位置は適宜変更して実施することができ、例えば、室外機本体１１の上下方向における中央部よりも上方の任意の位置、室外機本体１１の上下方向における中央部、室外機本体１１の上下方向における中央部よりも下方の任意の位置において適宜設置することができる。
【００１２】
カバー２０は、金属製の板材を折り曲げることにより構成されており、図４に例示するように、カバー本体部２１、固定用片部２２を一体的に備えている。固定用片部２２は、カバー本体部２１の側面から外方、この場合、室外機本体１１の右方に向かって突出しており、熱交換器１４の端面と室外機本体１１の側面カバー１１ａとの間に挟み込まれた状態で、図示しないねじなどにより固定されている。
【００１３】
図５に例示するように、カバー本体部２１は、室外機本体１１の背面側から見ると、全体として、ほぼ矩形状に構成されている。そして、図６に例示するように、カバー本体部２１の内部には、室外機本体１１の外部の空気の温度を検知する外気温センサ３０が備えられている。本実施形態では、外気温センサ３０は、例えばプラスチック材料により構成されるケース３１内に収容された状態で、カバー本体部２１内に備えられている。外気温センサ３０を収容するケース３１は、例えば、図示しないねじによりカバー本体部２１内に固定されている。また、本実施形態では、外気温センサ３０およびケース３１は、何れも長尺な形状をなしており、その長手方向を室外機本体１１の上下方向に沿わせた状態で取り付けられている。
【００１４】
カバー本体部２１は、外気温センサ３０およびケース３１の全体を覆うのではなく、その一部、この場合、下部を除く殆どの部分を覆うように構成されている。即ち、カバー本体部２１は、メイン面部２１１、右側面部２１２、左側面部２１３、上面部２１４を一体的に備えている。また、カバー本体部２１は、その下部が遮蔽されておらず、下方に開放した開口２１５を形成している。
【００１５】
メイン面部２１１は、カバー本体部２１の主体となる平面部である。メイン面部２１１は、絞り加工が施されていない平坦な面部となっている。メイン面部２１１は、カバー２０が室外機本体１１の背面に取り付けられた状態で、当該カバー２０の背面を構成する。
【００１６】
右側面部２１２は、カバー２０が室外機本体１１の背面に取り付けられた状態で、カバー本体部２１の右側面を構成する。この場合、右側面部２１２は、カバー本体部２１の右側面の全体を遮蔽している。また、右側面部２１２は、絞り加工が施されていない平坦な面部となっている。
【００１７】
左側面部２１３は、カバー２０が室外機本体１１の背面に取り付けられた状態で、カバー本体部２１の左側面を構成する。図７に例示するように、この場合、左側面部２１３は、カバー本体部２１の左側面の一部、この場合、後側のほぼ半分を遮蔽している。また、左側面部２１３は、絞り加工が施されていない平坦な面部となっている。カバー本体部２１の左側面のうち左側面部２１３により遮蔽されていない部分、この場合、前側のほぼ半分の部分は、左方に向かって開放した開口２１６を形成している。
【００１８】
上面部２１４は、カバー２０が室外機本体１１の背面に取り付けられた状態で、カバー本体部２１の上面を構成する。上面部２１４は、カバー本体部２１の上面の全部ではなく一部、この場合、背面側を遮蔽している。また、上面部２１４は、メイン面部２１１の上端部から前方に向かって、つまり、熱交換器１４側に向かって傾斜する平坦な面部となっている。カバー本体部２１の上面のうち上面部２１４により遮蔽されていない部分、この場合、前側の部分は、上方に向かって開放した開口２１７を形成している。また、上面部２１４の右側の端部と右側面部２１２の上端部との間には、スリット２１８が形成されている。また、上面部２１４の左側の端部と左側面部２１３の上端部との間には、スリット２１９が形成されている。以上の通り、カバー本体部２１の上面は、その一部が開口２１７、スリット２１８，２１９により開放された構成となっている。
【００１９】
また、ケース３１は、複数の通気口３１ａを有するほぼ矩形の容器状をなしており、その内部において、外気温センサ３０を支持している。図６に破線矢印Ａで例示するように、カバー２０内に進入する空気は、熱交換器１４に向かって流れていく。そして、このように空気が流れる過程において、カバー２０内に進入した空気の一部は、通気口３１ａからケース３１内に流入して外気温センサ３０に接触する。これにより、外気温センサ３０は、室外機本体１１の外部の空気の温度を検出する。
【００２０】
また、ケース３１には誘導壁部３２が設けられている。誘導壁部３２は、誘導部の一例であり、カバー２０の開口２１５の一部を遮蔽するように設けられている。本実施形態では、誘導壁部３２は、ケース３１内の外気温センサ３０の長手方向に直交する方向、つまり、水平方向に沿う平坦な壁部となっている。図６に破線矢印Ｂで例示するように、誘導壁部３２は、開口２１５からカバー２０内に進入しようとする空気を、背面側、つまり、外気温センサ３０側に誘導する。
【００２１】
図８に例示するように、例えば室外機本体１１の背面に壁Ｗが存在する場合、室外機本体１１の背面側の空気の温度は、熱交換器１４が発生する熱により高温となり、特に上部において高温の空気つまり実際の空気よりも高温の空気が停滞しやすくなる。本実施形態に係る空気調和機の室外機１０によれば、外気温センサ３０およびケース３１を覆うカバー２０は、下部に開口２１５を有している。この構成によれば、図８に破線矢印Ｃで例示するように、カバー２０内には、比較的温度が低い下方の空気が開口２１５から進入し、図８に破線矢印Ｄで例示するように、高温の上方の空気はカバー２０内には進入しにくくなる。よって、外気温センサ３０に実際よりも高温の空気が接触しにくくなり、室外機１０の周囲に壁Ｗが存在する場合であっても、外気温センサ３０により実際の外気温を正確に検知することができる。
【００２２】
また、カバー２０は、一方側の側面、この場合、右側面の全体が右側面部２１２により遮蔽されている。この構成によれば、カバー２０の右側面から高温の外気が進入することを防止することができ、外気温センサ３０により外気温を一層正確に検知することができる。
【００２３】
また、カバー２０は、他方側の側面、この場合、左側面の一部が左側面部２１３により遮蔽され、残りの部分が開口２１６により開放されている。この構成によれば、この開口２１６から流入する空気の流れにより、カバー２０内において熱交換器１４側に向かう空気の流れを補強することができる。よって、カバー２０内における空気の流れを円滑にすることができ、つまり、カバー２０内において空気が停滞してしまうことを防止することができ、外気温センサ３０により外気温を一層正確に検知することができる。
【００２４】
また、カバー２０は、上面が上面部２１４により遮蔽されている。この構成によれば、カバー２０の上面から高温の外気が進入しにくくなり、外気温センサ３０により外気温を一層正確に検知することができる。
【００２５】
また、カバー２０は、上面の一部が開口２１７、スリット２１８，２１９により開放された構成となっている。この構成によれば、開口２１７、スリット２１８，２１９から流入する空気の流れにより、カバー２０内において熱交換器１４側に向かう空気の流れを補強することができる。よって、カバー２０内における空気の流れを円滑にすることができ、つまり、カバー２０内において空気が停滞してしまうことを防止することができ、外気温センサ３０により外気温を一層正確に検知することができる。
【００２６】
また、カバー２０は、上面を構成する上面部２１４が熱交換器１４側に向かって傾斜している。この構成によれば、カバー２０内に進入した空気が上面部２１４によりガイドされて熱交換器１４側に向かって流れやすくなる。よって、カバー２０内における空気の流れを円滑にすることができ、つまり、カバー２０内において空気が停滞してしまうことを防止することができ、外気温センサ３０により外気温を一層正確に検知することができる。
【００２７】
また、カバー２０は、カバー２０内に進入しようとする空気を外気温センサ３０側に誘導する誘導壁部３２を備えている。この構成によれば、外気温センサ３０に効率良く空気を接触させることができ、外気温を一層正確に検知することができる。
【００２８】
（第２実施形態）
図９に例示する室外機１０は、室外機本体１１の背面に防雪用のフード４０を備えている。この場合、フード４０は、室外機本体１１の背面に１つ備えられている。フード４０は、外気温センサ３０およびケース３１を覆うカバー２０を、さらに外側から覆う。フード４０は、背面、上面、左右の両側面が閉塞されている。また、フード４０は、その下部に、下方に開放した開口４１を備えている。室外機本体１１を側面から見て、開口４１は、前側から後側に向かって上昇するように傾斜している。室外機本体１１の外部の空気は、開口４１からフード４０内に進入して室外機本体１１の背面に至る。
【００２９】
また、室外機１０は、室外機本体１１の前面に防雪用のフード５０を備えている。この場合、フード５０は、空気吹出口１２に対応して複数、この場合、２つ備えられている。フード５０は、背面、上面、左右の両側面が閉塞されている。また、フード５０は、その下部に、下方に開放した開口５１を備えている。室外機本体１１を側面から見て、開口５１は、前側から後側に向かって下降するように傾斜している。空気吹出口５０から吹き出される空気は、フード５０を経由して開口５１から外部に流出する。
【００３０】
フード４０，５０は、例えば室外機１０が寒冷地において使用される場合に取り付けられるものであり、例えばボルトなどにより室外機本体１１に強固に固定される。フード４０は、室外機本体１１の背面側を雪や風などから保護し、フード５０は、室外機本体１１の特に空気吹出口１２を雪や風などから保護する。
【００３１】
室外機本体１１の背面に取り付けられたフード４０は、室外機１０の背面に存在する遮蔽物となる。そして、この場合においても、室外機１０の背面側の空気の温度、特にフード４０内の空気の温度は、熱交換器１４が発生する熱により高温となり、特にフード４０内の上部において高温の空気つまり実際の空気よりも高温の空気が停滞しやすくなる。本実施形態に係る空気調和機の室外機１０によれば、図９破線矢印Ｅで例示するように、外気温センサ３０およびケース３１を覆うカバー２０内には、比較的温度が低い下方の空気が開口２１５から進入し、図９に破線矢印Ｆで例示するように、高温の上方の空気はカバー２０内には進入しにくくなる。よって、外気温センサ３０に実際よりも高温の空気が接触しにくくなり、室外機本体１１にフード４０が取り付けられた場合であっても、外気温センサ３０により実際の外気温、この場合、フード４０内の空気の温度を正確に検知することができる。
【００３２】
（その他の実施形態）
本実施形態は、上述した実施形態に限られるものではなく、例えば、次のように変形または拡張することができる。例えば、本実施形態は、複数の空気吹出口１２および複数の送風機１３を備える室外機１０に限らず、１つの空気吹出口１２および１つの送風機１３を備える室外機にも適用することができる。また、外気温センサ３０、ケース３１、カバー２０の取り付け位置は、室外機本体１１の背面の上部に限られるものではなく、例えば、室外機本体１１の背面の下部、室外機本体１１の側面や前面など、適宜変更して実施することができる。
【００３３】
また、カバー２０は、下部に開口を有する構成であれば、その形状や大きさを適宜変更して実施することができる。また、カバー２０は、その左右の両側面および上面を全て閉塞して、下部のみに開口を有する構成としてもよい。また、フード４０，５０は、下部に開口を有する構成であれば、その形状や大きさを適宜変更して実施することができる。また、フード４０，５０は、その左右の両側面および上面を全て閉塞して下部のみに開口を有する構成としてもよいし、側面や上面の一部に開口を有する構成としてもよい。
【００３４】
本実施形態は、室外機本体１１の周囲に壁Ｗやフード４０が存在している場合だけでなく、例えば、室外機本体１１の周囲に荷物が積んである場合、他の室外機が併設されている場合など、つまり、室外機本体１１の周囲に何らかの遮蔽物が存在している場合に有効である。
【００３５】
本実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００３６】
図面中、１０は空気調和機の室外機、１１は室外機本体、２０はカバー、３０は外気温センサ、３２は誘導壁部（誘導部）、４０はフードを示す。
【図１】
2018185100.tif 000003
【図２】
2018185100.tif 000004
【図３】
2018185100.tif 000005
【図４】
2018185100.tif 000006
【図５】
2018185100.tif 000007
【図６】
2018185100.tif 000008
【図７】
2018185100.tif 000009
【図８】
2018185100.tif 000010
【図９】
2018185100.tif 000011